(57)【要約】【課題】非計量時には衝撃や塵等から容易且つ良好に保護され、一方計量時には安定して精度良い計量が可能な計量装置の提供を課題とする。【解決手段】重量検出器に連結された載台２２の上部を、被計量物あるいはバケット状の計量皿２３を載置可能に前方及び後方支持部２２ａ，２２ａ，２２ｂで側面視略Ｖ字状に形成すると共に、載台２２の基部２２ｃの上部に設けた支軸部２２ｄを介して符号ウで示す状態と符号エで示す状態との間で回動可能とする。計量時には、符号ウで示す状態とした支持部２２ａ，２２ａ，２２ｂあるいは該支持部２２ａ，２２ａ，２２ｂに固定的に装着した計量皿２３を介して被計量物を計量する。一方、非計量時には、符号エで示す状態とした支持部２２ａ，２２ａ，２２ｂの上方から符号オで示すように計量皿２３を載置して載台２２をコンパクトに覆う。【選択図】　　図３
2004028796.tif 000002
【特許請求の範囲】
【請求項１】
被計量物が載置される計量皿と、本体内の重量検出器に連結され且つ該本体から上方に突出して前記計量皿を支持する載台と、操作部とを有し、前記計量皿は前記本体に対して着脱可能とされた計量装置であって、前記計量皿は、計量時には前記載台により固定的に支持され且つ非計量時には上方から前記本体に載置可能とされていることを特徴とする計量装置。
【請求項２】
前記載台は、被計量物を載置可能な形状とされていることを特徴とする請求項１に記載の計量装置。
【請求項３】
被計量物が載置される計量皿と、本体内の重量検出器に連結され且つ該本体から上方に突出して前記計量皿を支持する支持部材と、操作部及び表示部とを有する計量装置であって、前記計量皿は、被計量物を載置する状態と前記本体の上面を覆う状態とに移動可能とされていることを特徴とする計量装置。
【請求項４】
前記本体の上面を覆う状態において、前記計量皿は、該本体で支持されていることを特徴とする請求項３に記載の計量装置。
【発明の詳細な説明】
【０００１】
【発明の属する技術分野】
本発明は計量装置、特に被計量物を計量皿に載置して計量するタイプの計量装置に関し、計量技術分野に属する。
【０００２】
【従来の技術】
例えばコンビニエンスストア等におけるレジ内の金額を確認する場合に紙幣やコインをそれらの重量に基いて計数したり、あるいは、キャンディ等の菓子類やボルト、ナット等の小物部品類を計量・計数したりするための計量装置が広く使用されている。そして、このような計量装置に、前記の被計量物を載置する計量皿と、本体内のロードセルのような重量検出器に連結されて前記計量皿を支持する載台とを有するものがある。
【０００３】
この種の計量装置として、計量皿が本体側を保護する機能を備えるように構成されたものがある。一例として図１１及び図１２に示すように、特開平９−７９８９６号公報に開示されている計量装置Ａは、本体Ｂと該本体Ｂに対して着脱可能とされた計量皿Ｃとを備えている。
【０００４】
本体Ｂは、基台Ｂ１と、表示画面や操作キーが設けられた表示部Ｂ２と、重量検出器に連結された載台Ｂ３とを備えている。そして、基台Ｂ１の対向する一対の側面における載台Ｂ３寄りの部位には、基台Ｂ１と載台Ｂ３との間に適宜寸法の隙間（図例では一方のみ示す）Ｂ３′，Ｂ３′が形成されており、また、同じく表示部Ｂ２寄りの部位には、前記隙間Ｂ３′，Ｂ３′と略等しい幅の溝（同じく一方のみ示す）Ｂ２′，Ｂ２′が設けられている。
【０００５】
一方、計量皿Ｃは、底面Ｃ１と三つの側面Ｃ２，Ｃ２，Ｃ３とを有し、対向する一対の側面Ｃ２，Ｃ２には、計量皿Ｃの内方に突出する細長く且つ前記本体Ｂ側の溝Ｂ２′，Ｂ２′と隙間Ｂ３′，Ｂ３′とに嵌合可能な突起（図例では一方のみ示す）Ｃ２′，Ｃ２′がそれぞれ設けられている。また、計量皿Ｃの深さ寸法は、本体Ｂの高さに比較して若干大きめとされている。
【０００６】
こうすることにより、計量時には、図１１に示すように、本体Ｂの載台Ｂ３に底面Ｃ１を介して計量皿Ｃを載置すると共に底面Ｃ１上に被計量物を載置し、この被計量物の計量を行うことができる。
【０００７】
そして、非計量時には、図１２に示すように、図１１に示す場合とは天地が逆とされた姿勢の計量皿Ｃを、その側面Ｃ２，Ｃ２に設けられた突起Ｃ２′，Ｃ２′を本体Ｂ側の隙間Ｂ３′，Ｂ３′と次いで溝Ｂ２′，Ｂ２′とに沿わせながら、矢印で示す方向にスライドさせる。その結果、鎖線で示すように、突起Ｃ２′，Ｃ２′と溝Ｂ２′，Ｂ２′との嵌合を介して計量皿Ｃは本体Ｂに固定され、突起Ｃ２′，Ｃ２′によって載台Ｂ３の下方への移動が規制されるから、仮に計量皿Ｃの上方から不測の荷重が加えられたとしても、この荷重は載台Ｂ３ひいては重量検出器に負荷されることはなく、重量検出器の性能に悪影響を与えることはない。したがって、非計量時の例えば輸送中や保管中等に重量検出器に衝撃を与えることが回避され、その上で、とりわけ重要な載台Ｂ３や表示部Ｂ２を塵等から遮断することができるようになる。
【０００８】
【発明が解決しようとする課題】
ところで、前記のような計量装置Ａでは、計量時には計量皿Ｃを載台Ｂ３上に載置するだけであるため計量皿Ｃは不安定な状態となり、安定して精度良く計量するには、載台Ｂ３に対する計量皿Ｃの載置位置を常時一定させておく必要があり、計量作業は面倒ひいては作業効率が悪いという問題がある。
【０００９】
しかも、非計量時に計量皿Ｃで本体Ｂを覆う場合、該計量皿Ｃをスライドさせて、該計量皿Ｃ側の突起Ｃ２′，Ｃ２′を本体Ｂ側の隙間Ｂ３′，Ｂ３′及び溝Ｂ２′，Ｂ２′に挿入するから、その操作は面倒である。
【００１０】
そこで、本発明は、以上の現状に鑑み、非計量時には衝撃や塵等から容易且つ良好に保護され、一方計量時には安定して精度良い計量が可能な計量装置の提供を課題とする。
【００１１】
【課題を解決するための手段】
前記課題を解決するため、本発明は次のように構成したことを特徴とする。
【００１２】
まず、請求項１に記載の発明は、被計量物が載置される計量皿と、本体内の重量検出器に連結され且つ該本体から上方に突出して前記計量皿を支持する載台と、操作部とを有し、前記計量皿は前記本体に対して着脱可能とされた計量装置に関するもので、前記計量皿は、計量時には前記載台により固定的に支持され且つ非計量時には上方から前記本体に載置可能とされていることを特徴とする。
【００１３】
この発明によれば、計量時には、計量皿は載台に固定的に支持されるから、常時安定して精度良い計量が可能となる。一方非計量時には、本体側から計量皿を容易に取り外すことができると共に該計量皿で本体を容易に覆うことができる。したがって、この計量皿で例えば本体側の載台を覆うことにより、該載台ひいては重量検出器は計量皿上方からの衝撃や塵等から良好に保護されると共に、部品点数の増加を招くことなく安価な計量装置が実現する。しかも、計量皿で本体を覆う場合、該計量皿を上方から本体に載置すればよいから、手間が要らない。
【００１４】
次に、請求項２に記載の発明は、前記請求項１に記載の計量装置において、前記載台は、被計量物を載置可能な形状とされていることを特徴とする。
【００１５】
この発明によれば、多様なニーズに対応可能な計量装置が提供される。つまり、載台を用いた計量が可能となるから、異なる被計量物の計量を行う場合の利便性が増す。載台及び計量皿の形状を適切に設定することにより、例えば、載台で紙幣を、一方載台に装着された計量皿でコインを、それぞれ計量（計数）することが容易となる。
【００１６】
また、請求項３に記載の発明は、被計量物が載置される計量皿と、本体内の重量検出器に連結され且つ該本体から上方に突出して前記計量皿を支持する支持部材と、操作部及び表示部とを有する計量装置に関するもので、前記計量皿は、被計量物を載置する状態と前記本体の上面を覆う状態とに移動可能とされていることを特徴とする。
【００１７】
この発明によれば、例えば計量皿と支持部材とを連結することにより、請求項１に記載の発明と同様、計量時には、計量皿は支持部材に固定的に支持されるから、常時安定して精度良い計量が可能となる。一方非計量時には、計量皿で本体の上面を覆うようにすることができる。したがって、この計量皿で例えば本体側の支持部材を覆うことにより、該支持部材ひいては重量検出器は計量皿上方からの衝撃や塵等から良好に保護されると共に、部品点数の増加を招くことなく安価な計量装置が実現する。
【００１８】
また、計量皿と支持部材とを連結することにより、例えばワンタッチ操作で計量皿が被計量物を載置する状態と本体の上面を覆う状態との間を移動するような設計変更も可能となり、計量装置の操作性向上とコンパクト化とを図ることができる。加えて、計量皿の紛失が回避される。
【００１９】
そして、請求項４に記載の発明は、前記請求項３に記載の計量装置において、前記本体の上面を覆う状態において、前記計量皿は、該本体で支持されていることを特徴とする。
【００２０】
この発明によれば、計量皿で本体の上面を覆ったとき、この計量皿は本体で支持されるから、重量検出器は、計量皿上方からの衝撃に対して一層良好に保護され、その性能が一層良好に維持されることになる。
【００２１】
なお、前記各発明において、計量皿は本体の上面全体を覆ってもよいし、また上面の一部を覆ってもよい。
【００２２】
【発明の実施の形態】
［第１の実施の形態］
以下、本発明の第１の実施の形態に係る計量装置について説明する。
【００２３】
図１及び図２に示すように、この計量装置１は、本体１１と、該本体１１の後面側に上方に突出するように立設された載台１２と、被計量物が載置されると共に本体１１に対して着脱可能とされた計量皿１３とを有している。また、本体１１の前面側には、液晶表示器等でなる表示部１４とタッチ操作が可能な操作部１５とが設けられている。
【００２４】
載台１２は、図示しないロードセルのような重量検出器に連結されており、この載台１２の上部は紙幣等の被計量物あるいは計量皿１３を載置可能に、前方支持部１２ａと後方支持部１２ｂとによって側面視略Ｖ字状に形成されている。
【００２５】
一方、計量皿１３は、底面１３ａと四つの側面１３ｂ〜１３ｅとを有するバケット状とされている。
【００２６】
このような構成とすることにより、計量時には、本体１１から計量皿１３を取り外した状態で、載台１２で紙幣のような形状の被計量物の計量（計数）を行うことができる。また、図１の符号アで示す実線の状態のように、載台１２に計量皿１３を装着し、該計量皿１３にキャンディ等の菓子類やボルト、ナット等の小物部品類を載置して、これらの被計量物の計量（計数）を行うことができる。つまり、この計量装置１においては、載台１２あるいは計量皿１３に被計量物を載置して計量することが可能となるから、多様なニーズに対応可能な計量装置１が提供されることになる。
【００２７】
しかも、載台１２への計量皿１３の装着に際しては、図２に示すように、載台１２の前方支持部１２ａと後方支持部１２ｂとでなる略Ｖ字状の上部形状と、これらの支持部１２ａ，１２ｂと対面する計量皿１３の底面１３ａ及び側面１３ｂの形状とを適切に設定することにより、計量皿１３は載台１２に固定的に支持される。したがって、載台１２上で計量皿１３の姿勢が不安定になることがないから、常時安定して精度良い計量が可能となる。
【００２８】
一方、非計量時には、図１の符号アで示す実線の状態の計量皿１３を載台１２から取り外し、符号イで示す鎖線の状態のように、計量皿１３の開口周辺部１３ｆを本体１１の載台周辺部１１ａに対面させるように計量皿１３を上方から本体１１に載置することにより、載台１２を覆うことができる。したがって、この載台１２ひいては重量検出器は計量皿１３上方からの衝撃や塵等から良好に保護されると共に、部品点数の増加を招くことなく安価な計量装置１が実現する。しかも、計量皿１３で載台１２を覆う場合、該計量皿１３を上方から本体１１に載置すればよいから、手間が要らない。
【００２９】
なお、計量皿１３を載台１２に装着する場合、計量皿１３の側面１３ｂの適宜箇所に穴もしくは突起を設ける一方、この側面１３ｂと対面する載台１２の前方支持部１２ａに前記穴もしくは突起に嵌合可能な突起もしくは穴を設け、載台１２に対する計量皿１３の位置決めと固定とが一層確実となるようにしてもよい。
【００３０】
［第２の実施の形態］
次に、第２の実施の形態に係る計量装置について説明する。
【００３１】
図３に示すように、この計量装置２は、本体２１と、該本体２１の左方後面側に上方に突出するように立設された載台２２と、被計量物が載置されると共に本体２１に対して着脱可能とされた計量皿２３とを有している。また、本体２１の前面側には、表示部２４と操作部２５とが設けられている。
【００３２】
載台２２は、図示しないロードセルのような重量検出器に連結されており、この載台２２の上部は紙幣等の被計量物あるいは計量皿２３を載置可能に、左右一対の前方支持部２２ａ，２２ａと後方支持部２２ｂとによって側面視略Ｖ字状に形成されている。そして、これらの支持部２２ａ，２２ａ，２２ｂは、載台２２の基部２２ｃに支軸部２２ｄを介して符号ウで示す実線ないし点線の状態と符号エで示す鎖線の状態との間で回動可能に支持されている。なお、前記支持部２２ａ，２２ａ，２２ｂは、基部２２ｃに設けられた図示しないストッパと後方支持部２２ｂの背面との当接を介し、符号ウで示す状態を保持可能とされている。
【００３３】
一方、計量皿２３は、五つの側面２３ａ〜２３ｅを有するバケット状とされている。
【００３４】
このような構成とすることにより前記第１の実施の形態におけると同様に、計量時には、本体２１から計量皿２３を取り外した状態で、載台２２で紙幣のような形状の被計量物の計量（計数）を行うことができる。また、符号ウで示す実線の状態のように、載台２２に計量皿２３を装着し、該計量皿２３にキャンディ等の菓子類やボルト、ナット等の小物部品類を載置して、これらの被計量物の計量（計数）を行うことができる。つまり、この計量装置２においては、載台２２あるいは計量皿２３に被計量物を載置して計量することが可能となるから、多様なニーズに対応可能な計量装置２が提供されることになる。
【００３５】
しかも、載台２２への計量皿２３の装着に際しては、載台２２の前方支持部２２ａ，２２ａと後方支持部２２ｂとでなる略Ｖ字状の上部形状と、計量皿２３の二つの側面２３ｂ，２３ｃの形状とを適切に設定することにより、計量皿２３は載台２２に固定的に支持される。したがって、載台２２上で計量皿２３の姿勢が不安定になることがないから、常時安定して精度良い計量が可能となる。
【００３６】
一方、非計量時には、符号ウで示す実線の状態の計量皿２３を載台２２から取り外し、符号オで示す鎖線の状態のように、計量皿２３の開口周辺部２３ｆを本体２１の載台周辺部２１ａに対面させるように計量皿２３を上方から本体２１に載置することにより、載台２２を覆うことができる。したがって、この載台２２ひいては重量検出器は計量皿２３上方からの衝撃や塵等から良好に保護されると共に、部品点数の増加を招くことなく安価な計量装置２が実現する。しかも、計量皿２３で載台２２を覆う場合、該計量皿２３を上方から本体２１に載置すればよいから、手間が要らない。さらに、前方及び後方支持部２２ａ，２２ａ，２２ｂを符号エで示す鎖線の状態とすることができるから、非計量時には全体としてコンパクト化された計量装置２が実現される。
【００３７】
なお、載台２２に対する計量皿２３の位置決めと固定とを一層確実にするため、前記第１の実施の形態で説明したと同様の構成、つまり計量皿２３側の穴もしくは突起と、これに対応する載台２２側の突起もしくは穴との嵌合を採用してもよい。
【００３８】
［第３の実施の形態］
次に、第３の実施の形態に係る計量装置について説明する。
【００３９】
図４及び図５に示すように、この計量装置３は、本体３１と、該本体３１の後面側の略中央に上方に突出するように立設された支持部材３２と、該支持部材３２に連結されて被計量物が載置される計量皿３３とを有している。また、本体３１の前面側には、表示部３４と操作部３５とが設けられている。
【００４０】
図４〜図６に示すように、支持部材３２は、ロードセルのような重量検出器３６に連結されている。また、支持部材３２の正面視左右は切り欠かれ、内側側面３２ａ，３２ａと後方に向かって高くなる斜面３２ｂ，３２ｂとが形成されている。そして、左右一対のアーム部材３７，３７が一方の端部を介し、内側側面３２ａ，３２ａ間に架設された支軸３２ｃを中心に、矢印ａ，ｂで示すように揺動自在に支持されている。
【００４１】
一方、図４〜図７に示すように、計量皿３３は符号カで示す実線の状態と符号キで示す鎖線の状態との間を移動可能であって、本体３１側の支持部材３２と表示部３４とを覆うことが可能な形状とされていると共に、この計量皿３３の大半を占める主計量皿部３３ａと該主計量皿部３３ａの前面側中央に形成された切り欠き空間Ｓに内装されて該空間Ｓを閉鎖及び開放するフラップ状の副計量皿部３３ｂとを有している。
【００４２】
また、主計量皿部３３ａの裏面には取付部材３８が固設されており、前記アーム部材３７，３７の他方の端部は、該取付部材３８に設けられた支軸３８ａを中心に、揺動自在に取り付けられている。そして、取付部材３８は、前記切り欠き空間Ｓの方向に延設されたストッパ部３８ｂを有している。
【００４３】
また、符号カで示す状態における計量皿３３の姿勢を一層確実に保持するための固定機構３９，３９が、支持部材３２と両アーム部材３７，３７とに亘って設けられている。各固定機構３９は、支持部材３２の内側側面３２ａに嵌入されてアーム部材３７側が開口するブッシュ３９ａと、該ブッシュ３９ａに内装されたバネ３９ｂによって常時アーム部材３７側に付勢されると共に前記開口から突出する半球状の先端部を有する係合部材３９ｃと、アーム部材３７に設けられて前記先端部に係合する凹部３７ａとで構成されている。
【００４４】
すなわち、アーム部材３７，３７が矢印ａ方向に揺動して斜面３２ｂ，３２ｂに当接すると共に係合部材３９ｃが凹部３７ａに係合することになり、アーム部材３７，３７に対する計量皿３３の姿勢が一層確実に保持されるようになる。一方、アーム部材３７，３７が矢印ｂ方向に揺動すると、前記係合は解除されることになる。
【００４５】
さらに、詳細な説明は省略するが、上記と同様の構成の固定機構３９，３９が、取付部材３８と両アーム部材３７，３７とに亘って設けられている。
【００４６】
また、図５及び図７に示すように、副計量皿部３３ｂは切り欠き空間Ｓを閉鎖及び開放するように主計量皿部３３ａの手前側で軸支されており、閉鎖時には該副計量皿部３３ｂ裏面と前記取付部材３８の切り欠き空間Ｓ側へ延設されたストッパ部３８ｂとの当接により移動を規制される。一方、副計量皿部３３ｂは、開放時には該副計量皿部３３ｂの手前側の左右両端に延設されたストッパ部３３ｂ′，３３ｂ′と主計量皿部３３ａの切り欠き空間Ｓ側へ延設された一対のストッパ部（一方のみ図示）３３ａ′，３３ａ′との当接により移動を規制される結果、この副計量皿部３３ｂは主計量皿部３３ａに対して起立する。図例では、主計量皿部３３ａと開放時つまり起立時の副計量皿部３３ｂとのなす角度は略９０°とされており、この状態の計量皿３３で例えば紙幣のような形状の被計量物の計量（計数）を行うことができるようになっている。
【００４７】
このような構成とすることにより、まず、アーム部材３７，３７が矢印ａ方向に揺動するように計量皿３３を移動させると、これらのアーム部材３７，３７は支持部材３２の斜面３２ｂ，３２ｂに沿って位置するようになる。つまり、これらの斜面３２ｂ，３２ｂに当接した時点でアーム部材３７，３７の矢印ａ方向への揺動は規制され、アーム部材３７，３７ひいては計量皿３３は符号カで示す状態となる。そのとき、支持部材３２とアーム部材３７，３７との間の固定機構が機能することにより、つまり、支持部材３２側の係合部材３９ｃ，３９ｃがアーム部材３７，３７側の凹部３７ａ，３７ａに係合することにより、支持部材３２に対するアーム部材３７，３７の姿勢ひいては計量皿３３の姿勢は符号カで示す状態に一層確実に保持されることになる。また、取付部材３８とアーム部材３７，３７との間の固定機構３９，３９が機能することにより、計量皿３３の姿勢はさらに安定する。
【００４８】
したがって、計量時には、計量皿３３を符号カで示す状態に移動させると共に、切り欠き空間Ｓを開放するように副計量皿部３３ｂを起立させて、紙幣のような形状の被計量物の計量（計数）を行うことができるようになる。その場合、計量皿３３はアーム部材３７，３７を介して連結された支持部材３２に支持されるから、常時安定して精度良い計量が可能となる。
【００４９】
一方、副計量皿部３３ｂで切り欠き空間Ｓを閉鎖した状態でアーム部材３７，３７が矢印ｂ方向に揺動するように計量皿３３を移動させると、支持部材３２とアーム部材３７，３７との間の固定機構３９，３９、及び取付部材３８とアーム部材３７，３７との間の固定機構３９，３９の機能は解除され、アーム部材３７，３７及び計量皿３３は符号キで示す状態に移動する結果、この計量皿３３で支持部材３２や表示部３４を覆うことができるようになる。
【００５０】
したがって、非計量時には、符号キで示す状態のように、支持部材３２ひいては重量検出器３６や表示部３４は計量皿３３上方からの衝撃や塵等から良好に保護されると共に、部品点数の増加を招くことなく安価な計量装置３が実現する。その場合、非計量時の計量装置３は全体としてコンパクト化される。
【００５１】
また、計量皿３３は支持部材３２に連結されているから、この計量皿３３の紛失が回避される。
【００５２】
そして、計量皿３３の符号カで示す状態と符号キで示す状態との間の移動は、ワンタッチ操作でアーム部材３７，３７を矢印ａ方向または矢印ｂ方向に揺動させるだけでよいから、操作性の向上を図ることができる。
【００５３】
［第４の実施の形態］
そして、第４の実施の形態に係る計量装置について説明する。
【００５４】
図８〜図１０に示すように、この計量装置４は、本体４１と、該本体４１の後面側の略中央に上方に突出するように立設された支持部材４２と、該支持部材４２に連結されて被計量物が載置される計量皿４３とを有している。また、本体４１の前面側には、表示部４４と操作部４５とが設けられている。
【００５５】
支持部材４２は、ロードセルのような重量検出器４６に連結されている。また、支持部材４２の正面視左右は切り欠かれ、内側側面４２ａ，４２ａと後方に向かって高くなる斜面４２ｂ，４２ｂとが形成されている。そして、左右一対の内側アーム部材４７ａ，４７ａが一方の端部を介し、内側側面４２ａ，４２ａ間に架設された支軸４２ｃを中心に、矢印ｃ，ｄで示すように揺動自在に支持されている。また、左右一対の外側アーム部材４７ｂ，４７ｂが一方の端部を介し、支持部材４２の外側側面４２ｄ，４２ｄ間に架設された支軸４２ｅを中心に、矢印ｅ，ｆで示すように揺動自在に支持されている。
【００５６】
一方、計量皿４３は符号クで示す状態と符号ケで示す状態との間を移動可能であって、計量時にはこの計量皿４３の上面に被計量物が載置されると共に、非計量時には本体４１の略上面全体を覆うことができる蓋状とされている。
【００５７】
また、計量皿４３の裏面には取付部材４８が固設されており、前記内側アーム部材４７ａ，４７ａの他方の端部は、取付部材４８の内側側部４８ａ，４８ａ間に架設された支軸４８ｂを中心に、揺動自在に取り付けられている。そして、前記外側アーム部材４７ｂ，４７ｂの他方の端部は、取付部材４８の外側側部４８ｃ，４８ｃ間に架設された支軸４８ｄを中心に、揺動自在に取り付けられている。
【００５８】
また、左右の各内側及び外側アーム部材４７ａ，４７ｂの適宜箇所にそれぞれピン４７ａ′，４７ｂ′が立設されており、両ピン４７ａ′，４７ｂ′間に内側アーム部材４７ａと外側アーム部材４７ｂとを接近させるように付勢するバネ４９が介設されている。その場合、内側及び外側アーム部材４７ａ，４７ｂの長さ、支持部材４２における支軸４２ｃ，４２ｅの配設位置、バネ４９の介設位置つまりピン４７ａ′，４７ｂ′の立設位置等は、計量時には計量皿４３の上面を符号クで示すように水平姿勢に保持すると共に非計量時には符号ケで示すように本体４１の上面を覆うように設定されている。
【００５９】
また、計量皿４３の手前側の側部中央に突起４３ａが設けられる一方、本体４１の手前側の側部中央に該突起４３に係合する固定部材４１ａが備えられている。この固定部材４１ａは例えば弾力性のある樹脂材料で構成されている。なお、このような突起４３ａ及び固定部材４１ａの構成には、周知のものが適用可能である。
【００６０】
このような構成とすることにより、まず、計量皿４３を符号ケで示す状態から符号クで示す状態に移動させると、内側及び外側アーム部材４７ａ，４７ａ，４７ｂ，４７ｂはバネ４９，４９の付勢力も相俟ってそれぞれ矢印ｃ及び矢印ｅで示す方向に揺動し、内側アーム部材４７ａ，４７ａは支持部材４２の斜面４２ｂ，４２ｂに沿って位置するようになる。つまり、これらの斜面４２ｂ，４２ｂに当接した時点で内側アーム部材４７ａ，４７ａの矢印ｃ方向への揺動ひいては外側アーム部材４７ｂ，４７ｂの矢印ｅ方向への揺動は規制される。その結果、内側及び外側アーム部材４７ａ，４７ａ，４７ｂ，４７ｂを介して支持部材４２に連結された計量皿４３は、符合クで示す水平姿勢に保持される。
【００６１】
したがって、この計量皿４３の上面に被計量物を載置しての計量を行う場合、計量皿４３は内側及び外側アーム部材４７ａ，４７ａ，４７ｂ，４７ｂを介して連結された支持部材４２に支持されるから、常時安定して精度良い計量が可能となる。
【００６２】
一方、計量皿４３で本体４１を覆う場合、計量皿４３を符号クで示す状態から符号ケで示す状態に移動させ、この計量皿４３の下部周辺部４３ｂと本体周辺部４１ｂとを対面させる。そして、計量皿４３の突起４３ａと本体４１の固定部材４１ａとを係合させて、計量皿４３を本体４１側に確実に固定することにより、この計量皿４３で本体４１の上面を覆うことができるようになる。
【００６３】
したがって、非計量時には、符号ケで示す状態のように、支持部材４２ひいては重量検出器４６、表示部４４、及び操作部４５は計量皿４３上方からの衝撃や塵等から良好に保護されると共に、部品点数の増加を招くことのない計量装置４が実現する。その場合、この計量装置４は符号ケで示す状態となるから、非計量時には全体としてコンパクト化される。
【００６４】
また、計量皿４３は本体周辺部４１ｂで支持されるから、重量検出器４６は衝撃に対して一層良好に保護され、その性能が一層良好に維持されることになる。
【００６５】
また、計量皿４３は支持部材４２に連結されているから、この計量皿４３の紛失が回避される。
【００６６】
そして、計量皿４３の符号クで示す状態と符号ケで示す状態との間の移動は、ワンタッチ操作で内側及び外側アーム部材４７ａ，４７ａ，４７ｂ，４７ｂを矢印ｃ，ｅ方向または矢印ｄ，ｆ方向に揺動させるだけでよいから、操作性の向上を図ることができる。
【００６７】
なお、前記第１〜第４の実施の形態で説明した計量装置１〜４の構成は一例であって、本発明はこれらに限定されるものではなく、前記請求項に記載の範囲に含まれるものであればよい。
【００６８】
【発明の効果】
以上説明したように、本発明によれば、非計量時には衝撃や塵等から容易且つ良好に保護され、一方計量時には安定して精度良い計量が可能な計量装置が提供される。本発明は、計量皿を使用するタイプの計量装置の技術分野に広く好適である。
【図面の簡単な説明】
【図１】本発明の第１の実施の形態に係る計量装置の全体斜視図である。
【図２】同計量装置における載台による計量皿の支持状態を示す断面図である。
【図３】本発明の第２の実施の形態に係る計量装置の全体斜視図である。
【図４】本発明の第３の実施の形態に係る計量装置の全体斜視図である。
【図５】同計量装置の一部を破断した側面図である。
【図６】同計量装置における計量皿の支持状態を説明するための要部正面図である。
【図７】同計量装置の前方支持部の起立動作を説明するための要部斜視図である。
【図８】本発明の第４の実施の形態に係る計量装置の全体斜視図である。
【図９】同計量装置の一部を破断した側面図である。
【図１０】同計量装置における計量皿の支持状態を説明するための要部正面図である。
【図１１】従来の計量装置の構成と使用状態とを示す斜視図である。
【図１２】従来の計量装置における本体への計量皿の装着状況を説明するための一部を破断した側面図である。
【符号の説明】
１，２，３，４　　計量装置
１１，２１，３１，４１　　本体
１２，２２　　載台
１３，２３，３３，４３　　計量皿
１４，２４，３４，４４　　表示部
１５，２５，３５，４５　　操作部
３２，４２　　支持部材
３６，４６　　重量検出器
【図１】
2004028796.tif 000003
【図２】
2004028796.tif 000004
【図３】
2004028796.tif 000005
【図４】
2004028796.tif 000006
【図５】
2004028796.tif 000007
【図６】
2004028796.tif 000008
【図７】
2004028796.tif 000009
【図８】
2004028796.tif 000010
【図９】
2004028796.tif 000011
【図１０】
2004028796.tif 000012
【図１１】
2004028796.tif 000013
【図１２】
2004028796.tif 000014